(57)【要約】【課題】  水平にして回転させた場合にもユーザから見易いように画面の向きを適切に縦向きまたは横向きに切り替えることができる携帯端末装置を提供する。【解決手段】  本発明の構成は、長方形状の表示領域に画面を表示する表示部１０８と、この画面を縦向きまたは横向きに切り替える制御部１０２とを備える携帯端末装置１００であって、当該携帯端末装置１００の姿勢を検出する加速度センサ１１０と、方位を検出する地磁気センサ１１２とをさらに備え、制御部１０２は、当該携帯端末装置１００が水平面となす角度αが所定閾値である角度β以上の場合に、加速度センサ１１０が検出する姿勢に基いて画面の向きを切り替え、角度αが所定閾値である角度β未満の場合に、地磁気センサ１１２が検出する方位に基いて画面の向きを切り替える制御をすることを特徴とする。【選択図】図１
2014044382.tif 000002
【特許請求の範囲】
【請求項１】
長方形状の表示領域に画面を表示する表示部と、該画面を縦向きまたは横向きに切り替える制御部とを備える携帯端末装置であって、
当該携帯端末装置の姿勢を検出する加速度センサと、
方位を検出する地磁気センサとをさらに備え、
前記制御部は、当該携帯端末装置が水平面となす角度が所定閾値以上の場合に、前記加速度センサが検出する姿勢に基いて前記画面の向きを切り替え、前記角度が所定閾値未満の場合に、前記地磁気センサが検出する方位に基いて前記画面の向きを切り替える制御をすることを特徴とする携帯端末装置。
【請求項２】
前記角度が所定閾値未満となる際に前記画面の一方が向いている方位を記憶する記憶部をさらに備え、
前記制御部は、前記角度が所定閾値未満の場合に、前記画面の前記一方が向いている方位を前記記憶部に記憶されている方位と一致させるように、該画面の向きを切り替える制御をすることを特徴とする請求項１に記載の携帯端末装置。
【請求項３】
長方形状の表示領域に表示される画面の向きの縦向きまたは横向きへの切替を実行するためにコンピュータを、
搭載された加速度センサによって前記画面の姿勢を検出する姿勢検出手段、
搭載された地磁気センサによって方位を検出する方位検出手段、および、
前記画面が水平面となす角度が所定閾値以上の場合に、前記加速度センサが検出する姿勢に基いて前記画面の向きを切り替え、前記画面が水平面となす角度が所定閾値未満の場合に、前記地磁気センサが検出する方位に基いて前記画面の向きを切り替える画面制御手段、
として機能させるためのプログラム。
【請求項４】
長方形状の表示領域に表示される画面の向きを縦向きまたは横向きに切替可能な携帯端末装置の画面制御方法であって、
加速度センサによって当該携帯端末装置の姿勢を検出し、
地磁気センサによって方位を検出し、
当該携帯端末装置が水平面となす角度が所定閾値以上の場合に、前記加速度センサが検出する姿勢に基いて前記画面の向きを切り替え、前記角度が所定閾値未満の場合に、前記地磁気センサが検出する方位に基いて前記画面の向きを切り替える制御をすることを特徴とする携帯端末装置の画面制御方法。
【発明の詳細な説明】
【技術分野】
【０００１】
本発明は、長方形状の表示領域に表示される画面の向きを縦向きまたは横向きに切替可能な携帯端末装置、プログラム、および携帯端末装置の画面制御方法に関する。
【背景技術】
【０００２】
加速度センサを搭載した携帯端末装置、とりわけスマートフォンが普及している。特許文献１に例示されるように、かかる携帯端末装置では、加速度センサによって下方向を検出し、下方向に画面下側がくるように、画面を縦向きまたは横向きに切り替える。特許文献１では、携帯端末装置に地磁気センサを搭載し、ナビゲーション用のアプリケーションプログラム実行中に、上方向にユーザの進行方向がくるようにする技術を開示している。
【先行技術文献】
【特許文献】
【０００３】
【特許文献１】特開２００５−２４２２８３号公報
【発明の概要】
【発明が解決しようとする課題】
【０００４】
特許文献１に代表される従来技術では、携帯端末装置を机に置いて水平にし、回転させた場合、加速度センサによって検出される下方向が当該携帯端末装置の背面の方向となり、画面下側をどこにすべきか判定することができない。したがって、画面の向きが切り替えられない。しかし、ユーザから見易いようにするためには、水平にして回転させた場合にも、画面の向きの切替が適切に行われるようにするのが望ましい。
【０００５】
なお特許文献１の技術では、地磁気センサを利用し、上方向にユーザの進行方向がくるようにしているが、これは加速度センサによる画面制御が機能していることが前提となっている。例えば携帯端末装置を机に置いて水平にした場合、加速度センサが画面下側をどこにすべきか判定することができず、加速度センサによる画面制御が機能しない。このような場合において、地磁気センサの検出結果によって、画面の向きが縦向きまたは横向きに切り替えられることはない。
【０００６】
本発明は、上記課題に鑑みてなされたものであり、水平にして回転させた場合にもユーザから見易いように画面の向きを適切に縦向きまたは横向きに切り替えることができる携帯端末装置、プログラム、および携帯端末装置の画面制御方法を提供することを目的とする。
【課題を解決するための手段】
【０００７】
上記課題を解決するために本発明にかかる携帯端末装置の代表的な構成は、長方形状の表示領域に画面を表示する表示部と、この画面を縦向きまたは横向きに切り替える制御部とを備える携帯端末装置であって、当該携帯端末装置の姿勢を検出する加速度センサと、方位を検出する地磁気センサとをさらに備え、制御部は、当該携帯端末装置が水平面となす角度が所定閾値以上の場合に、加速度センサが検出する姿勢に基いて画面の向きを切り替え、角度が所定閾値未満の場合に、地磁気センサが検出する方位に基いて画面の向きを切り替える制御をすることを特徴とする。
【０００８】
上記角度が所定閾値未満となる際に画面の一方が向いている方位を記憶する記憶部をさらに備え、制御部は、角度が所定閾値未満の場合に、画面の一方が向いている方位を記憶部に記憶されている方位と一致させるように、画面の向きを切り替える制御をするとよい。
【０００９】
上記課題を解決するために本発明にかかるプログラムの代表的な構成は、長方形状の表示領域に表示される画面の向きの縦向きまたは横向きへの切替を実行するためにコンピュータを、搭載された加速度センサによって画面の姿勢を検出する姿勢検出手段、搭載された地磁気センサによって方位を検出する方位検出手段、および、画面が水平面となす角度が所定閾値以上の場合に、加速度センサが検出する姿勢に基いて画面の向きを切り替え、画面が水平面となす角度が所定閾値未満の場合に、地磁気センサが検出する方位に基いて画面の向きを切り替える画面制御手段、として機能させることを特徴とする。
【００１０】
上記課題を解決するために本発明にかかる携帯端末装置の画面制御方法の構成は、長方形状の表示領域に表示される画面の向きを縦向きまたは横向きに切替可能な携帯端末装置の画面制御方法であって、加速度センサによって当該携帯端末装置の姿勢を検出し、地磁気センサによって方位を検出し、当該携帯端末装置が水平面となす角度が所定閾値以上の場合に、加速度センサが検出する姿勢に基いて画面の向きを切り替え、角度が所定閾値未満の場合に、地磁気センサが検出する方位に基いて画面の向きを切り替える制御をすることを特徴とする。
【発明の効果】
【００１１】
本発明によれば、水平にして回転させた場合にもユーザから見易いように画面の向きを適切に縦向きまたは横向きに切り替えることができる携帯端末装置、プログラム、および携帯端末装置の画面制御方法を提供することができる。
【図面の簡単な説明】
【００１２】
【図１】本実施形態にかかる携帯端末装置の概略構成を示すブロック図である。
【図２】図１に示す地磁気センサが検出する方位について説明する図である。
【図３】図１に示す表示部の画面の向きの切替に利用されるセンサについて説明する図である。
【図４】図１に示す携帯端末装置の画面制御方法について例示するフローチャートである。
【図５】図１に示す携帯端末装置の使用態様図である。
【図６】図１に示す携帯端末装置の使用態様図である。
【図７】図１に示す地磁気センサに基く画面の向きの切替について説明する図である。
【図８】比較例にかかる携帯端末装置の図６に相当する使用態様図である。
【発明を実施するための形態】
【００１３】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
図１は、本実施形態にかかる携帯端末装置１００の概略構成を示すブロック図である。図１に示すように、携帯端末装置１００は、中央処理装置（プロセッサ）を含んで構成される制御部１０２と、ＲＡＭやＲＯＭ、フラッシュメモリ、ＨＤＤ等で構成される記憶部１０４とを備える。制御部１０２は、携帯端末装置１００の各部の制御や管理を行う。記憶部１０４は、プログラムや各種データを記憶する。
【００１５】
携帯端末装置１００は、タッチパネル、キーボード等で構成される操作部１０６を備える。操作部１０６は、ユーザの操作入力を受け付ける。携帯端末装置１００は、液晶ディスプレイやＥＬ(Electro Luminescence)ディスプレイ等とそのコントローラで構成される表示部１０８を備える。表示部１０８は、長方形状の表示領域を有しユーザに画面を表示する。
【００１６】
なお本実施形態では、携帯端末装置１００は、操作部１０６および表示部１０８として、これらを組み合わせたタッチパネルディスプレイを備える。
【００１７】
携帯端末装置１００は、当該携帯端末装置１００の姿勢を検出する加速度センサ１１０を備える。加速度センサ１１０は、例えば３軸加速度センサまたは２軸加速度センサによって実現される。加速度センサ１１０は、それぞれの軸方向の加速度を検出するものであるが、原理的にそれぞれの軸方向周りの回転運動を検出することはできない。
【００１８】
携帯端末装置１００は、方位を検出する地磁気センサ１１２を備える。地磁気センサ１１２は、表示部１０８に表示される画面の一方が向いている方位を検出する。なお、地磁気センサ１１２は、画面の中心部に配置せずとも、位置や角度を演算により補正することで画面の一方の方位を正確に検出することができる。
【００１９】
図２は、地磁気センサ１１２が検出する方位について説明する図である。図中、「北」を矢印Ｎで、「南」を矢印Ｓで、「東」を矢印Ｅで、「西」を矢印Ｗで表す。図２に示すように、本実施形態では、地磁気センサ１１２が画面の一方としての画面下側（図中「画面下側」を矢印Ｕ１で表す）の方位を検出する。ここでは、画面下側が「北」を向いているので、「北」が検出される。以下、本実施形態では、画面の一方として画面下側を例示して説明する。
【００２０】
図３は、表示部１０８の画面の向きの切替に利用されるセンサについて説明する図である。図３に示すように、当該携帯端末装置１００が水平面となす角度α、すなわち表示部１０８の画面が水平面となす角度αが所定閾値である角度β以上の場合、表示部１０８の画面の向きは、制御部１０２によって加速度センサ１１０が検出する姿勢に基いて切り替えられる。角度αが所定閾値である角度β未満の場合、表示部１０８の画面の向きは、制御部１０２によって地磁気センサ１１２が検出する方位に基いて切り替えられる。
【００２１】
これは、携帯端末装置１００を水平にし、あるいは水平に近づけて回転させた場合、加速度センサ１１０によって検出される下方向が当該携帯端末装置１００の背面の方向となり、画面下側をどこにすべきか判定することができないためである。すなわち、加速度センサ１１０が役に立たない角度では、地磁気センサ１１２の方位に基いて、表示部１０８の画面の向きを切り替える。したがって所定閾値である角度βは、いわば加速度センサ１１０の検出結果を参照して、画面下側をどこにすべきか適切に判定することができる境界として設定される。なお所定閾値である角度βは、操作部１０６を通じてユーザが自由に設定可能であってもよい。
【００２２】
図４は、図１に示す携帯端末装置１００の画面制御方法について例示するフローチャートである。図５、図６は、図１に示す携帯端末装置１００の使用態様図である。図５（ａ）が携帯端末装置１００を立てた状態を示す図であり、図５（ｂ）が図５（ａ）の状態から携帯端末装置１００を水平にした状態を示す図である。図６（ａ）が図５（ｂ）の状態から携帯端末装置１００を回転させた状態を示す図であり、図６（ｂ）が図６（ａ）の状態から携帯端末装置１００を再び立てた状態を示す図である。以下、図４に示すフローチャートに則って、携帯端末装置１００の使用態様について説明する。
【００２３】
携帯端末装置１００の電源がオンになると、制御部１０２は角度αが所定閾値である角度β以上であるか否かを判定する（ステップＳ２００）。図５（ａ）に示すように、角度αが角度β以上である場合（ステップＳ２００Ｙｅｓ）、制御部１０２は、加速度センサ１１０が検出する姿勢に基いて、表示部１０８の画面を縦向きまたは横向きに適宜切り替える（ステップＳ２０２）。具体的には、制御部１０２は、加速度センサ１１０が検出する下方向（重力方向）に画面下側がくるように表示部１０８の画面の向きを縦向きまたは横向きに適宜切り替える。かかる画面の向きの切替は、角度αと角度βとの大小関係が逆転しない限り（ステップＳ２０４Ｎｏ）、あるいは電源がオフにならない限り（ステップＳ２０６Ｎｏ）継続される。
【００２４】
図５（ｂ）に示すように、図５（ａ）の状態から携帯端末装置１００を水平にすると、制御部１０２は、角度αが角度β未満となったことすなわち角度αと角度βとの大小関係が逆転したことを判定する（ステップＳ２０４Ｙｅｓ）。すると制御部１０２は、地磁気センサ１１２によって、角度αが角度β未満となる際に画面下側が向いていた方位を検出し、記憶部１０４に記憶する（ステップＳ２０８）。本実施形態では、地磁気センサ１１２が検出する方位はＲＡＭに記憶され、電源がオフになるか（ステップＳ２０６Ｙｅｓ、ステップＳ２１４Ｙｅｓ）、あるいは上書きされるかすると消去される。
【００２５】
角度αが角度β未満となる際に画面下側が向いていた方位は、ユーザがいた方位（人物方向）を意味する。したがって、制御部１０２は、地磁気センサ１１２が検出する方位に基いて、ユーザがいた方位から見易いように表示部１０８の画面を縦向きまたは横向きに適宜切り替える（ステップＳ２１０）。具体的には図６（ａ）に示すように、制御部１０２は当該携帯端末装置１００が水平なまま回転させられた場合、記憶部１０４を参照し、ユーザがいた方位である「北」に画面下側が向くように画面を縦向きまたは横向きに適宜切り替える。
【００２６】
図７は、図１に示す地磁気センサ１１２に基く画面の向きの切替について説明する図である。図７に示すように、ステップＳ２１０では、表示部１０８の画面の対角線（破線で図示する）により形成される４つの領域（第１領域１１４、第２領域１１６、第３領域１１８、第４領域１２０）のいずれに画面下側を向けるべき方位である「北」が属するかを指標として、制御部１０２は画面の向きの切替を実行する。
【００２７】
図７では、「北」が第２領域１１６に属しているので、第２領域１１６の画面の縁が画面下側となるように切替が実行される。同様に、携帯端末装置１００を水平なまま回転させた結果、「北」が他の領域（第１領域１１４、第３領域１１８、第４領域１２０）に属するようになった場合には、その領域の画面の縁が画面下側となるように切替が実行される。なお、第１領域１１４に属する場合のみ画面の向きの切替を実行しないようにするなど、特別な設定を可能としてもよい。
【００２８】
なお、電源をオンにしたときから角度αが角度β未満（ステップＳ２００Ｎｏ）である場合には、ステップＳ２０８において、制御部１０２は画面下側が現在向いている方位（デフォルト表示の画面下側の方位）を記憶部１０４に記憶する。そして、ステップＳ２１０において、制御部１０２は、記憶部１０４を参照し、この記憶された方位に画面下側が向くように画面を縦向きまたは横向きに適宜切り替える。
【００２９】
地磁気センサ１１２が検出する方位に基く画面の向きの切替は、角度αと角度βとの大小関係が逆転しない限り（ステップＳ２１２Ｎｏ）、あるいは電源がオフにならない限り（ステップＳ２１４Ｎｏ）継続される。図６（ｂ）に示すように、図６（ａ）の状態から携帯端末装置１００を再び立てた状態にすると、角度αと角度βとの大小関係が逆転し（ステップＳ２１２Ｙｅｓ）、ステップＳ２０２へと再び移行する。すなわち、加速度センサ１１０が検出する姿勢に基く画面の向きの切替が再び実行される。
【００３０】
図８は、比較例にかかる携帯端末装置２００の図６に相当する使用態様図である。図８（ａ）が図５（ｂ）に相当する状態から携帯端末装置２００を回転させた状態を示す図であり、図８（ｂ）が図８（ａ）の状態から携帯端末装置２００を再び立てた状態を示す図である。比較例にかかる携帯端末装置２００は、上述した携帯端末装置１００と地磁気センサ１１２を備えていない点で相違する。
【００３１】
図８（ａ）に示すように携帯端末装置２００では、図５（ｂ）に相当する状態から水平なまま回転させられても画面の向きが決して切り替わらない。加速度センサ１１０は、それぞれの軸方向周りの回転運動を検出することはできないためである。なお、図８（ｂ）に示すように、携帯端末装置２００では再び立てた状態にすると、加速度センサ１１０が検出する姿勢に基いて画面の向きが切り替わる。
【００３２】
これに対し、上述した携帯端末装置１００によれば、立てた状態すなわち角度αが角度β以上であっても、水平な状態すなわち角度αが角度β未満であっても、加速度センサ１１０および地磁気センサ１１２を使い分け、ユーザから見易いように画面の向きを適切に縦向きまたは横向きに切り替えることができる。これより、携帯端末装置１００によれば、使い勝手の向上を図ることができる。
【００３３】
また本実施形態では、水平な状態すなわち角度αが角度β未満の場合に、制御部１０２が、画面下側が向いている方位を、角度αが角度β未満となる際に画面下側が向いていた方位すなわちユーザがいた方位と一致させるように画面の向きを切り替える。これにより、画面の向きを適切に切り替えることができる。なお、かかる例に限らず、角度αが角度β未満の場合に、制御部１０２が、画面下側が向いている方位を、操作部１０６を通じて予め指定された方位と一致させるように画面の向きを切り替える等してもよい。
【００３４】
なお、長方形状の表示領域に表示される画面の向きの縦向きまたは横向きへの切替を実行するためにコンピュータを、搭載された加速度センサ１１０によって画面の姿勢を検出する姿勢検出手段、搭載された地磁気センサ１１２によって方位を検出する方位検出手段、および、画面が水平面となす角度αが所定閾値である角度β以上の場合に、加速度センサ１１０が検出する姿勢に基いて画面の向きを切り替え、画面が水平面となす角度αが所定閾値である角度β未満の場合に、地磁気センサ１１２が検出する方位に基いて画面の向きを切り替える画面制御手段、として機能させるプラグラムによっても、上記と同様の効果を奏することができる。すなわち、本実施形態をコンピュータで読取可能なプログラムとして実現することもできる。
【００３５】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３６】
本発明は、長方形状の表示領域に表示される画面の向きを縦向きまたは横向きに切替可能な携帯端末装置、プログラム、および携帯端末装置の画面制御方法として利用することができる。
【符号の説明】
【００３７】
１００、２００…携帯端末装置、１０２…制御部、１０４…記憶部、１０６…操作部、１０８…表示部、１１０…加速度センサ、１１２…地磁気センサ、１１４…第１領域、１１６…第２領域、１１８…第３領域、１２０…第４領域
【図１】
2014044382.tif 000003
【図２】
2014044382.tif 000004
【図３】
2014044382.tif 000005
【図４】
2014044382.tif 000006
【図５】
2014044382.tif 000007
【図６】
2014044382.tif 000008
【図７】
2014044382.tif 000009
【図８】
2014044382.tif 000010